(57)【要約】  信号の通信量を減少させ、混雑させることなく、制御、管理を有効に行うことができるような空調調和システムを得る。１又は複数の室内機２００、１又は複数の室外機１００及び集中管理装置３００とを備え、信号の通信を行う空気調和システムにおいて、１又は複数の室外機１００と集中管理装置３００とが接続される第１の伝送線５００と、グループ構成された１又は複数の室内機２００が接続される第２の伝送線５１０との間に伝送中継器４００を設け、伝送中継器４００は、第１の伝送線５００と、接続された第２の伝送線５１０との間の信号中継を行い、さらに、接続された第２の伝送線５１０を介して送信される信号に含まれるデータの処理を行う演算処理手段４３０と、演算処理手段４３０の処理に係るデータを記憶するデータ記憶手段４４０とを有する。
2008035402.tif 000002
【特許請求の範囲】
【請求項１】
１又は複数の室内機、１又は複数の室外機及び集中管理装置とを備え、各装置はそれぞれ信号を送受信するための通信手段を有して信号の通信を行う空気調和システムにおいて、
前記１又は複数の室外機と前記集中管理装置とが接続される第１の伝送線と、グループ構成された１又は複数の室内機が接続される第２の伝送線との間に伝送中継器を設け、
該伝送中継器は、前記第１の伝送線と、接続された前記第２の伝送線との間の信号中継を行い、さらに、接続された前記第２の伝送線を介して送信される信号に含まれるデータの処理を行う演算処理手段と、
該演算処理手段の処理に係るデータを記憶するデータ記憶手段と
を有することを特徴とする空気調和システム。
【請求項２】
前記演算処理手段は、前記第２の伝送線に接続された室内機に対して、ポーリング方式により所定のデータを含む信号の送信を要求し、該要求に基づいて各室内機から送信された信号に含まれるデータを処理することを特徴とする請求項１記載の空気調和システム。
【請求項３】
前記演算処理手段は、前記室内機において使用した電力量に関するデータを前記所定のデータとして前記信号の送信を要求し、送信された信号に基づく前記電力量に関するデータを処理して前記データ記憶手段に記憶させ、定期的又は前記集中管理装置からの要求に基づいて、前記集中管理装置に前記データ記憶手段に記憶したデータを含む信号を送信させる処理を行うことを特徴とする請求項２記載の空気調和システム。
【請求項４】
前記演算処理手段は、前記室内機が異常状態であるかどうかを判断するためのデータを前記所定のデータとして前記信号の送信を要求し、送信された信号に基づいて各室内機が異常状態であるかどうかを判断し、少なくとも１の室内機が異常状態であると判断すると、前記集中管理装置に前記異常状態発生の旨の信号を送信する処理を行うことを特徴とする請求項２記載の空気調和システム。
【請求項５】
前記グループ構成した室内機に電力供給を行う電源線を、前記第２の伝送線とすることを特徴とする請求項１〜４のいずれかに記載の空気調和システム。
【請求項６】
前記室内機及び前記伝送中継器はそれぞれ電波通信手段を有し、前記第２の伝送線による通信の代わりに、電波による無線通信を行うことを特徴とする請求項１〜４のいずれかに記載の空気調和システム。
【請求項７】
前記演算処理手段は、電波による無線通信を行うことができる前記室内機に対し、アドレスを設定するアドレス設定処理をさらに行うことを特徴とする請求項６記載の空気調和システム。
【請求項８】
前記室内機との間で電波による無線通信を行い、前記室内機に設定されたアドレスを表示手段に表示し、さらに、入力手段に入力された指示に基づいて前記アドレスを修正するワイヤレスリモートコントローラを有することを特徴とする請求項７記載の空気調和システム。
【請求項９】
前記伝送中継器は、前記室内機の操作を行うために、前記グループ毎又は各室内機に設けられるリモートコントローラに設けられることを特徴とする請求項１〜８のいずれかに記載の空気調和システム。
【発明の詳細な説明】
【技術分野】
【０００１】
本発明は、室内機及び室外機とを集中管理装置で管理する空気調和システムに関するものである。特に室内機、室外機、集中管理装置間のデータ等を含む信号の通信に関するものである。
【背景技術】
【０００２】
例えば、ビル等の建築物において、室内に設けられ、室内を指示された温度に調整するための複数の室内機と、室外に設けられ排熱等を行う１又は複数の室外機とを、集中管理装置で管理するように構成した空気調和システムがある。このとき、室外機、室内機、集中管理装置等の間を伝送線等で接続してネットワークを構成し、例えば、（運転オン／オフ信号、設定温度差、運転モード）等の制御用データを含む各種信号を各装置が伝送し、通信が行われている。【０００３】
従来、空気調和システムでは、例えば集中管理装置と各室外機とを伝送線で接続し、各室外機が有するリピータにより、さらに各室外機に配管接続された室内機とを接続していくことで、バス接続による１つの大きなネットワークで構成することが多かった。そのため、ネットワークに接続された１台の装置が他の装置に信号を送信しようとすると、その信号は全ての装置に送信されてしまうことになり、１つの信号が空気調和システムのネットワーク全体を占有することになる（各装置は自分に送信された信号であるかどうかを判断し、送信されたと判断した装置が信号に基づく処理を行う）。したがって、装置の接続台数を多くしたり、さらに高度なシステム管理により頻繁に信号のやりとりを行おうとしたりすると、ネットワーク上を伝送する信号の通信量が多くなる。そして、通信量が飽和して占有状態が続くと、例えば信号を送信できない装置が発生する可能性があり。これにより、例えば集中管理装置は、その装置、室温調整等に対して有効な管理を行うことができなくなってしまう。【０００４】
そこで、例えば１又は複数の室内機を伝送線で接続した１又は複数のネットワークを、ブリッジを介して、集中管理装置と各室外機とを伝送線で接続したネットワークと接続するネットワーク構成の空気調和システムもある（例えば、特許文献１参照）。この空気調和システムにおけるネットワーク構成は、不要な信号が他のネットワークに送信されないようにしてシステムのネットワークの混雑を解消しようとするものである。また、このような構成にすることで、例えば集中管理装置と各室外機とを接続する伝送線の通信速度を高速にする等、小さなネットワーク環境に応じた通信速度での通信を行うこともできる。
【特許文献１】特開２００４−３１６９９５号公報
【発明の開示】
【発明が解決しようとする課題】
【０００５】
上記の空気調和システムのようにブリッジを設けることで、全く信号を送信する必要のない機器に不要な信号が送られることを防ぎ、１つの信号によりシステムのネットワーク全体が占有されることを防ぐことはできる。【０００６】
しかしながら、上記のような空気調和システムでは、システムにおける通信には、集中管理装置とのやりとりに関するものも多いため、集中管理装置、室外機及びブリッジ間の信号の伝送線における通信量はあまり減少せず、混雑の解消にはつながらない。そのため、結果として、システム全体の通信が有効に行われず、管理にも影響する。【０００７】
そこで、本発明は、ネットワーク上（特に集中管理装置、室外機及びブリッジ間）に伝送される信号の通信量を減少させ、混雑させることなく、制御、管理を有効に行うことができるような空調調和システムを提供することを目的とする。
【課題を解決するための手段】
【０００８】
本発明に係る空気調和システムは、１又は複数の室内機、１又は複数の室外機及び集中管理装置とを備え、各装置はそれぞれ信号を送受信するための通信手段を有して信号の通信を行う空気調和システムにおいて、１又は複数の室外機と集中管理装置とが接続される第１の伝送線と、グループ構成された１又は複数の室内機が接続される第２の伝送線との間に伝送中継器を設け、伝送中継器は、第１の伝送線と、接続された第２の伝送線との間の信号中継を行い、さらに、接続された第２の伝送線を介して送信される信号に含まれるデータの処理を行う演算処理手段と、演算処理手段の処理に係るデータを記憶するデータ記憶手段とを有する。
【発明の効果】
【０００９】
本発明によれば、伝送中継器にデータ処理を行う演算処理手段を設け、接続された前記第２の伝送手段から送信される信号に含まれるデータの処理を行うようにしたので、例えば集中管理装置が行う各種データの処理の全部又は一部を、伝送中継器が行うようにすることで、各室内機と集中管理装置との間で行われる通信量を少なくすることができる。そのため、第１の伝送線における通信量を従来に比べて減少させ、混雑が生じないようにすることができる。また、複数の伝送中継器がそれぞれデータの処理を行うことで処理の負荷を分散することができ、集中管理装置が行う処理の負荷軽減等をはかることもできる。
【発明を実施するための最良の形態】
【００１０】
図１は本発明の実施の形態１に係る空気調和システムの構成を表す図である。まず、図１のシステムの冷媒系統について、室外機１００ａと室内機２００ａ、２００ｂ、２００ｅ及び２００ｆとが冷媒配管６００ａを介して接続され、冷凍サイクルを構成している。また、室外機１００ｂと室内機２００ｃ、２００ｄ、２００ｇ及び２００ｈとが冷媒配管６００ｂを介して接続され、冷凍サイクルを構成している。ここで、図１では冷媒配管６００ａ、６００ｂを１つの線で示しているが、冷媒を循環させるために、実際には少なくとも２本の管で構成されている。【００１１】
また、システムの電源系統について、室外機１００ａ及び１００ｂは電源線７００を介して電源と接続され、電力供給を受けている。そして、室内機２００ａ、２００ｂ、２００ｃ及び２００ｄは電源線７１０ａを介して電源と接続され、さらに、室内機２００ｅ、２００ｆ、２００ｇ、２００ｈは電源線７１０ｂを介して電源と接続されて電力供給を受けている（以下、特に区別する必要がない場合は、室外機１００、室内機２００、冷媒配管６００、電源線７１０として代表して記載する）。【００１２】
次に、本実施の形態におけるシステムの通信系統について説明する。まず、集中管理装置３００と室外機１００ａ及び２００ｂとが第１の伝送線５００を介して接続されている。また、第１の伝送線５００には、室内機２００ａ〜２００ｈとの間で信号を中継する処理を行う伝送中継器４００ａ及び４００ｂも接続されている。ここで、第１の伝送線５００で接続された集中管理装置３００、室外機１００ａ及び１００ｂ並びに伝送中継器４００ａ及び４００ｂの間の通信は、高速（時間当たりのデータ通信量が多い）で行うことができるものとする。高速なデータ通信の実現については、例えば伝送線の材料、データの多重化等、様々な方法が考えられるがここでは特に限定しない。【００１３】
さらに本実施の形態では、室内機２００ａ、２００ｂ、２００ｃ及び２００ｄが、第２の伝送線３０１ａを介して伝送中継器４００ａと接続され、また、室内機２００ｅ、２００ｆ、２００ｇ及び２００ｈが、第２の伝送線５１０ｂを介して伝送中継器４００ｂと接続されている（特に区別する必要がない場合は、それぞれ伝送中継器４００、第２の伝送線５１０として記載する）。ここで、本実施の形態では、例えば、ビルの各階（フロア）の室内機２００（室内機２００が１台であってもよい）をグループとして構成し、各グループが第２の伝送線５１０を介して、それぞれ各伝送中継器４００と接続されているものとする。ただし、これに限定されるものではなく、例えば通信接続数が多くなると、第２の伝送線５１０における通信量も多くなるので、混雑解消を図るために同一フロアの室内機２００であっても複数のグループに分けるようにしてもよい。また、通信系統のグループ構成は、図１のように冷媒系統のグループ構成とは必ずしも同じである必要はなく、構成が異なってもよい。また、図１では電源系統のグループ構成と同じ構成となっているが、これも同じである必要はなく、異なってもよい。【００１４】
ここで、第２の伝送線５１０を介した通信についても、第１の伝送線５００を介した通信と同様に高速の通信を行ってもよいが、第１の伝送線５００における通信量と比較等して考えると、室内機２００間における通信は、特に高速である必要はないと考えられる。そのため、本実施の形態では第２の伝送線５１０を介した通信は第１の伝送線５００を介した通信よりも低速度の通信であるものとする。このため、各室内機２００における室内機通信手段５００及び第２の伝送線５１０を、第１の伝送線５００で行われる通信速度に合わせて高コストの手段で構成する必要がなく、システム全体のコストを抑えることができる。また、本実施の形態では、信号のプロトコルが、第１の伝送線５００と第２の伝送線５１０ａ、３０１ｂとでは異なっているものとする。そのため、伝送中継器４００ａ及び４００ｂは、一方の伝送線から受信した信号のプロトコル変換処理を行って、変換処理した信号を他方の伝送線に送信する。システム内の各装置において用いられるプロトコルの種類については特に限定しない。【００１５】
図２は室外機１００の構成例を表す図である。室外機制御手段１１０は、例えば、室内機通信手段１２０が受信した集中管理装置３００等からの信号等に基づいて、室外機１００を構成する各手段の動作制御を行う。室外機通信手段１２０は、第１の伝送線５００と接続され、第１の伝送線５００と室外機制御手段１１０との間における信号通信のインターフェースとなる。室外機記憶手段１３０は、室外機制御手段１１０が処理を行うために必要となるデータを記憶する。ここで、室外機記憶手段１３０は、システム内における固有のアドレス（以下、アドレスという）もデータとして記憶している。このアドレスは、例えば通信を行う際の信号送信先、送信元を示すアドレスとなるものとする。また、室外機記憶手段１３０は、後述する冷媒系統の関係を表すデータについても記憶している。【００１６】
圧縮機１４０は、吸入した冷媒（気体）を圧縮し、運転周波数に基づく任意の圧力を加えて送り出す（吐出する）。特に限定するものではないが、例えば運転周波数を任意に変化させることにより容量（単位時間あたりの冷媒を送り出す量）を変化させることができる、インバータ回路を備えた容量可変のインバータ圧縮機としてもよい。室外機側熱交換器１５０は、熱交換器を通過する冷媒と空気との熱交換を行う。室外機側ファン１６０は、例えば室外機側熱交換器１５０に熱交換のための空気を送るものである。四方切換弁１７０は、例えば冷房運転、暖房運転に応じて、配管経路の切り替えを行うための弁である。アキュムレータ（液分離器）１８０は、気体の冷媒を圧縮機１６０に吸入させるための装置である。また、室外機側膨張弁１９０は、室外機制御手段１１０の指示に基づいて、弁の開度を調整し、冷媒の流量を制御する。【００１７】
図３は室内機２００の構成例を表す図である。室内機制御手段２１０は、例えば、操作入力手段２４０からの指示の信号、室内機通信手段２２０が受信した信号等に基づいて、室内機２００を構成する各手段の動作制御を行う。ここで、室内機制御手段２１０は、動作の基準となるクロックを発生させる水晶発振器２１１を有している。室内機通信手段２２０は、第１の伝送線５００と接続され、第２の伝送線５１０と室内機制御手段２１０との間における信号通信のインターフェースとなる。室内機記憶手段２３０は、室内機制御手段２１０が処理を行うために必要となるデータを記憶する。室外機記憶手段１３０と同様に、システム内におけるアドレス、冷媒系統の関係を表すデータも記憶している。操作入力手段２４０は、例えば操作者がリモートコントローラ等を介して入力した設定温度、運転モード等の指示を信号として室内機制御手段２１０に送信する。【００１８】
室内機側熱交換器２５０は、熱交換器内を通過する冷媒と空気との熱交換を行う。室内機側ファン２６０は、室内機側熱交換器２５０に空気を送り熱交換させ、さらに熱交換された空気を室内に送り込む。室内機側膨張弁２７０は、室内機制御手段２１０の指示に基づいて、弁の開度を調整し、冷媒の流量を制御する。これにより、室内機側熱交換器２５０を通過する冷媒量を制御し、室内機側熱交換器２５０における冷媒の蒸発等を調整する。補助ヒータ２８０は、例えば暖房運転において暖かい空気を室内に送り込む際、室内機側熱交換器２５０における熱交換だけでは所定の温度の空気を送り込めないときに補助的に空気を加熱する。【００１９】
図４は伝送中継器４００の構成を表す図である。第１伝送手段４１０は第１の伝送線５００と接続され、第１の伝送線５００と演算処理手段４３０との間における信号通信のインターフェースとなる。また、第２伝送手段４２０についても、第２の伝送線５１０と接続され、第２の伝送線５１０と演算処理手段４３０との間での信号通信のインターフェースとなる。【００２０】
演算処理手段４３０は、さらに中継処理部４３０Ａ、データ処理部４３０Ｂで構成され、第１伝送手段４１０、第２伝送手段４２０が受信した信号に基づいて処理を行う。中継処理部４３０は、例えば第１伝送手段４１０が受信した第１の伝送線５００側からの信号を第２伝送手段４２０を介して第２の伝送線５１０側に送信するかどうかを判断する。逆に第２伝送手段４２０が受信した第２の伝送線５１０側からの信号を第１伝送手段４１０を介して第１の伝送線５００側に送信するかどうかを判断する。送信すると判断した場合には、信号のプロトコル変換を行い、変換した信号を第１伝送手段４１０又は第２伝送手段４２０に送信させる。ここで、場合によっては、信号のプロトコル変換だけでなく、信号に含まれるデータについてもプロトコル変換を行う。【００２１】
データ処理部４３０Ｂは、例えば第２の伝送線５１０を介して、通信接続された各室内機２００にポーリングを行う信号を送信するための処理を行い、第２伝送手段４２０に送信させる。そして、返信として、各室内機２００から送信された信号に含まれるデータを処理し、例えばデータ記憶手段４４０に記憶させる。本実施の形態では、各室内機２００における使用電力（エネルギ）量に関するデータが送信された信号に含まれているものとする。さらに、例えば、定期的、集中管理装置３００から信号送信の指示を受けたものと判断したとき等に、データ記憶手段４４０に記憶したデータを含む信号を、第１の伝送線５００を介して集中管理装置３００に送信するための処理を行い、第１伝送手段４１０に送信させる。【００２２】
ここで、演算処理手段４３０の各処理部を、異なるハードウェアで構成することもできるが、例えば、ＣＰＵ（Central Prosessing Unit ）のような演算制御手段（コンピュータ）で構成する一方、その処理手順をあらかじめプログラム化し、ソフトウェア、ファームウェア等で構成することもできる。演算制御手段がそのプログラムを実行し、そのプログラムに基づく処理を行い、上記の各処理部が行う処理を実現する。これらのプログラムのデータは例えば次のデータ記憶手段４４０に記憶するようにしてもよい。【００２３】
図５は冷媒系統の関係を表す図である。データ記憶手段４４０は、演算処理手段４３０が処理を行うために必要となるデータを記憶する。また、演算処理手段４３０の各制御部が行った処理結果等のデータを記憶する。例えば、中継処理部４３０Ａがプロトコル変換処理を行うための変換用のデータを記憶する。【００２４】
また、本実施の形態では、上述した冷媒系統の関係を、例えばテーブル形式のデータとして系統記憶部４４１に記憶する。各伝送中継器４００は、第２の伝送線５１０を介して接続している室内機２００について、各室内機２００と冷媒配管接続された室外機１００との関係を冷媒系統記憶部４４１に記憶する。したがって、伝送中継器４００ａは、図５（ａ）で表されるデータを系統記憶部４４１に記憶し、伝送中継器４００ｂは図５（ｂ）で表されるデータを系統記憶部４４１に記憶することになる。また、系統記憶部４４１には、通信系統のアドレスのデータ（自分自身（伝送中継器４００）のデータも含む）についても記憶されており、室外機１００及び室内機２００においては、冷媒系統のデータと関連づけられている。系統記憶部４４１に記憶されたデータは、中継処理部４３０Ａが信号の中継処理を行うかどうかを判断するためのデータとなる。【００２５】
冷媒系統のデータは、例えば、集中管理装置３００において設定され、記憶されている。集中管理装置３００は、第１の伝送線５００を介して冷媒系統のデータを含む信号を各伝送中継器４００に送信する。第１伝送手段４１０が受信した信号に基づいてデータ処理部４３０Ｂが冷媒系統のデータを処理し、系統記憶部４４１に記憶させる。【００２６】
さらに、本実施の形態では、各室内機２００から第２の伝送線５１０を介して送信される信号に含まれる使用電力に関するデータが、データ記憶手段４４０に記憶される。ここで、使用電力に関するデータについては、例えば室内機側膨張弁２７０の開度（冷媒使用量）のデータ、室内機側ファン２６０の運転時間のデータ、補助ヒータ２８０の運転時間のデータ、サーモオン時間のデータ等がある。例えば複数の室内機２００をグループとして、データ処理部４３０Ｂが例えばグループにおける使用電力に関するデータの和を算出したデータを記憶させる等もできるが、本実施の形態では、室内機２００毎に使用電力に関するデータが記憶されるものとする。【００２７】
ビル内の空気調和システムでは、集中管理装置３００が各室内機２００から送られた信号内のデータを処理し、例えば、その結果を記憶手段４０５に記憶したり、表示手段４０６に表示したりする。ここで、全ての室内機２００から送信される信号は、第１の伝送線５００により集中管理装置３００に伝送される。そのため、システム内の室内機２００の数が多くなるほど、第１の伝送線５００における通信量が多くなり、混雑する。そこで、本実施の形態の空気調和システムでは、伝送中継器４００にデータ処理を行うデータ処理部４３０Ｂを設け、集中管理装置３００が行う各種データの処理の全部又は一部（本実施の形態ではポーリング方式を用いたデータ収集等のモニタ（監視）処理）を、伝送中継器４００が行うようにする。ここでは、伝送中継器４００は各室内機２００における使用電力に関するデータの収集処理を行う。ただ、伝送中継器が行うデータ処理はポーリング方式を用いたデータ収集等に限定するものではなく、他のデータ処理も行ってもよい。【００２８】
複数の使用者（テナント）が混在するテナントビル等の空気調和システムでは、使用した電力量に応じて、空気調和システムにおける電力使用料金を複数の使用者で按分する必要がある。そのためのデータ収集及び記憶（蓄積）処理を、集中処理装置３００によりポーリング方式で行うこととすると、信号送信を要求する信号（要求信号）及び返信の信号（使用電力に関するデータを含む信号）が第１の伝送線５００上で通信されることとなる。例えば１分単位で各室内機２００のデータを収集しようとすると、数十台の室内機では平均約１秒間隔で行い続けなければならないことになる。さらに室内機の数が多くなるほど、第１の伝送線５００上における通信量が多くなり、本来の空気調和制御のための信号送信にも影響を与える。そこで本実施の形態では各伝送中継器４００が行うこととし、例えば定期的、集中管理装置３００から信号の送信を要求されたとき等に、集中処理装置３００に使用電力に関するデータを含む信号を送信するものとする。【００２９】
次に本実施の形態の空気調和システムにおける通信について、特に伝送中継器４００を介した通信における処理を中心に説明する。まず、伝送中継器４００が行う中継処理について、室外機１００ａと室内機２００ａとの間の信号の送受信を例にして説明する。例えば室外機１００ａから室内機２００ａに、データを含む信号を送信する場合、室外機１００ａが有する室外機通信手段１２０から信号が送信される。ここで、各伝送線を介して通信される信号に含まれるデータには、各装置に対する指示、制御、管理等に関するデータ（処理データ）だけでなく、送信元、送信先のデータ等も含まれるものとする（以下同じ）。【００３０】
信号は、第１の伝送線５００を介して、室外機１００ｂ、集中管理装置３００並びに伝送中継器４００ａ及び４００ｂに送信される。伝送中継器４００ａの第１伝送手段４１０が受信した信号に含まれる送信先のデータに基づいて、伝送中継器４００ａの中継処理部４３０Ａは、冷媒系統記憶部４４１を検索し、第２の伝送線５１０ａを介して接続されている室内機２００であるかどうか（中継処理を行う必要があるかどうか）を判断する。伝送中継器４００ａの冷媒系統記憶部４４１には、前述したように室内機２００ａに関するデータが冷媒系統のデータとして記憶されているため、第２の伝送線５１０ａを介して接続されているものと判断し、プロトコル変換処理を行って第２伝送手段４２０に信号を送信させる。一方、室外機１００ｂ、集中管理装置３００並びに伝送中継器４００ｂも、信号に含まれる送信先のデータに基づいて処理を行う必要があるかどうかを判断するが、その必要がないため、その後の処理を行わない。【００３１】
第２伝送手段４２０から第２の伝送線５１０ａを介して送信された信号を、室内機２００ａ、２００ｂ、２００ｃ及び２００ｄの室内機通信手段５００がそれぞれ受信する。各室内機２００の室内機制御手段２１０では、信号に含まれる送信先のデータに基づいて、処理する必要があるかどうかを判断する。室内機２００ａでは、送信されたものと判断して信号に含まれる処理データに基づく処理を行う。一方、他の室内機２００については、処理を行う必要がないと判断し、処理を行わない。【００３２】
逆に、例えば室内機２００ａから室外機１００ａに信号を送信する場合、室内機２００ａの室内機通信手段５００から信号が送信される。第２の伝送線５１０ａを介して送信された信号は、室内機２００ｂ、２００ｃ及び２００ｄの室内機通信手段並びに伝送中継器４００ａの第２伝送手段４２０がそれぞれ受信し、信号に含まれる送信先のデータに基づいて処理を行う必要があるかどうかを判断する。室内機２００ｂ、２００ｃ及び２００ｄでは処理を行う必要がないと判断し、処理を行わない。一方、伝送中継器４００ａの中継処理部４３０Ａは、冷媒系統記憶部４４１を検索し、送信先が室外機２００ａであると判断すると、プロトコル変換処理を行った信号を第１伝送手段４１０に送信させる。【００３３】
第１伝送手段４１０から第１の伝送線５００を介して送信された信号を、室外機１００ａ及び２００ｂの室外機通信手段１２０、集中管理装置３００（の通信手段）並びに伝送中継器４００ｂの第１伝送手段４１０が受信し、信号に含まれる送信先のデータに基づいて処理する必要があるかどうかを判断する。室外機１００ａでは、送信されたものと判断して信号に含まれる処理データに基づく処理を行う。他の装置は処理を行う必要がないと判断し、処理を行わない。他の室外機１００、集中管理装置３００と室内機２００との間の通信についても同様に行われる。【００３４】
図６は伝送中継器４００のデータ処理部４３０Ｂを中心とするデータ処理の例を表す図である。次に、伝送中継器４００による使用電力に関するデータを収集し、記憶する処理例について説明する。まず、演算処理手段４３０のデータ処理部４３０Ｂは、ある室内機２００（例えば室内機２００ａ）に対して、使用電力に関するデータの要求指示を含む信号（以下、要求信号という）を第２伝送手段４２０に送信させる（要求信号送信処理：Ｓ１１）。【００３５】
室内機２００側においては、室内機通信手段２２０により受信した要求信号に基づいて、室内機制御手段２１０は、使用電力に関するデータとして定められたデータの検出処理を行う（Ｓ２１）。そして、使用電力に関するデータを含む信号を室内機通信手段２２０に送信させる（データ信号送信処理：Ｓ２２）。【００３６】
第２伝送手段４２０が受信した信号に基づいて、データ処理部４３０Ｂは、使用電力に関するデータをデータ記憶手段４４０に記憶する（データ収集、記憶処理：Ｓ１２）。そして、さらに他の室内機２００（例えば室内機２００ｂ）に対しても要求信号送信処理を行っていき（Ｓ１１）、使用電力に関するデータの収集、記憶を行う。そして、以上の動作を、例えば、各室内機２００における使用電力に関するデータがそれぞれ１分間隔で記憶されるように繰り返し行う。【００３７】
そして、集中管理装置３００においては、例えば定期的に各伝送中継器４００に対して、送信指示の旨の信号を送信する（データ信号送信指示処理：Ｓ３１）。伝送中継器４００においては、集中管理装置３００からの信号を受信すると、データ処理部４３０Ｂは、データ記憶手段４４０に記憶された使用電力に関するデータを含む信号を第１伝送手段４１０に送信させる（データ信号送信処理：Ｓ１３）。ここで、例えば圧縮処理を行ったデータを含む信号を送信する等を行えば、第１の伝送線５００における通信量をさらに減少させることができる。集中管理装置３００は、各伝送中継器４００による使用電力に関するデータに基づいて、例えばテナント使用者別に、空気調和システムに係る電力料金の按分処理を行う（按分処理Ｓ３２）。【００３８】
なお、上述の説明では第２の伝送線５１０に接続された各室内機２００に対して、それぞれ要求信号を送信するようにしているが、これに限定するものではない。例えば、各室内機２００に対して、あらかじめ信号の送信タイミングを設定しておく。要求信号を受信した各室内機２００は、それぞれの送信タイミングで信号送信を行うようにすれば、使用電力に関するデータを含む信号送信に関して信号衝突することなく、１度の要求信号で、各室内機２００が使用電力に関するデータを含む信号を伝送中継器４００に送信することができる。また、収集するデータ、収集手順についても上記のものに限定するものではない。【００３９】
以上のように、実施の形態１の空気調和システムによれば、伝送中継器４００にデータ処理を行うデータ処理部４３０Ｂを設け、集中管理装置３００が行う各種データの処理の全部又は一部を、伝送中継器４００が行うようにしたので、各室内機２００と集中管理装置３００との間で行われる通信量を少なくすることができる。そのため、第１の伝送線５００における通信量を従来に比べて減少させ、混雑が生じないようにすることができる。本実施のシステムでは、ポーリング方式を用いたデータ収集等のモニタ（監視）処理を伝送中継器４００が行うようにしたので、各室内機２００と集中管理装置３００との間の通信回数も減少させることができる。特に、使用電力に関するデータは、集中管理装置３００が電力按分処理等を行うときに限られ、リアルタイムの信号送信を要求するものではないので、集中管理装置３００の代わりに伝送中継器４００において行う処理として最も適したものである。また、各伝送中継器４００は、第２の伝送線５１０により接続された室内機２００について、データ収集、記憶処理を行えばよいので、複数の伝送中継器４００による処理の負荷、記憶するデータ量の分散をはかることができる。そして、集中管理装置３００が行う処理の負荷軽減等をはかることもできる。【００４０】
実施の形態２．
上述した実施の形態１では、伝送中継器４００が行う使用電力に関するデータを収集する処理について説明した。集中管理装置３００が行うポーリング方式を用いたモニタ処理は、使用電力に関するデータに限られるものではなく、例えば室内機２００の異常発生のモニタ処理についても、ポーリング方式が用いられている。本実施の形態では異常発生のモニタ処理の例について説明する。システム構成等は、実施の形態１で説明したことと同じであるため説明を省略する。【００４１】
データ処理部４３０Ｂは、異常判断に係る要求信号を第２伝送手段４２０に送信させる。室内機通信手段２２０により要求信号を受信した室内機２００では、室内機制御手段２１０が検出処理を行う。そして、検出した異常判断に関するデータ（例えば、室内機側熱交換器２５０の入口、出口等における温度、室内機側ファン２６０の回転速度等）を含む信号を室内機通信手段２２０に送信させる。ここでは、異常判断に関するデータを含む信号を送信するが、例えば、室内機２００が検出したデータに基づいて異常な状態であるかどうかを自己診断処理し、その結果のデータを含む信号を送信するようにしてもよい。【００４２】
第２の伝送線３００で通信接続された各室内機２００から送信された信号を第２伝送手段４２０が受信する。信号に含まれるデータに基づいて、データ処理部４３０Ｂは、異常判断に関するデータをデータ記憶手段４４０に記憶するとともに、室内機２００に異常状態が発生したかどうかを判断する。異常状態が発生していないと判断すると、他の室内機２００に対しても同様に上記の処理を行い、各室内機２００に対してモニタ処理を続ける。【００４３】
一方、異常状態が発生したものと判断すると、所定の過去分の異常判断に関するデータと共に、異常状態を表す旨の信号を第１伝送部３００に送信させる。集中管理装置３００は、送信された信号に含まれるデータに基づいて処理を行い、例えば表示装置に表示等させて、異常報知等を行う。【００４４】
以上のように、実施の形態２の空気調和システムによれば、各伝送中継器４００が、第２の伝送線５１０を介して通信接続された室内機２００の異常状態監視のモニタ処理を行い、異常状態であると判断したときに、集中管理装置３００にその旨の信号を送信するようにしたので、第１の伝送線５００の通信量を少なくすることができる。また、集中管理装置３００が行う処理負荷の軽減をはかることもできる。ここでは、異常発生のモニタ処理について説明したが、他のモニタ処理についても適用することができる。【００４５】
実施の形態３．
図７は本発明の実施の形態３の空気調和システムの構成図を表す図である。本実施の形態は、上述の実施の形態において、各室内機２００に電力を供給していた電力線７１０の代わりに、第２の伝送線５１０のように信号を重畳して送信することができる電力線７２０（７２０ａ、７２０ｂ）を用いている点で異なっている。【００４６】
上述の実施の形態の空気調和システムにおいては、第２の伝送線５１０と電力線７１０とを異なる線で構成していた。本実施の形態は、第２の伝送線５１０の代わりに電力線７２０に信号を重畳させるようにすることで、通信専用線を配線する必要がなく、配線費用の低減等を図ることができる。【００４７】
電力線に信号を重畳させて通信する方式については、特に限定しない。例えば、ノイズ耐性を高めるために、スペクトラム拡散方式を用いた通信を行ってもよいし、フォトダイオード等を利用したカップリング方式による通信を行ってもよい。【００４８】
実施の形態４．
図８は本発明の実施の形態４に係る空気調和システムの構成を表す図である。本実施の形態では、上述の実施の形態において用いられていた第２の伝送線５１０の代わりに、電波（無線）による通信を行うものとする。通信の方式は特に限定するものではないが、本実施の形態では、無線による通信の方式として、ＺｉｇＢｅｅ（ＺｉｇＢｅｅはKoninklijke Philips Electronics NVの登録商標。以下、同じ）を用いて行うものとする。【００４９】
本実施の形態においては、室内機２００、伝送中継器４００において、室内機通信手段２２０の代わりに電波通信手段２９０（２９０ａ〜２９０ｈ）、第２伝送手段４２０の代わりに電波通信手段４５０（４５０ａ、４５０ｂ）が設けられ、また、有線である第２の伝送線５１０が配線されていない点で上述の実施の形態とは異なっている。【００５０】
ＺｉｇＢｅｅは家庭電化製品向けの短距離無線通信規格の１つであり、比較的低速であるが、同種の方式より通信距離を長く（電波の送信出力にもよるが数十ｍ）することが可能である。そして、例えば赤外線等では、例えば送信手段と受信手段とを見通しのきく範囲に設けないと通信が困難であるが、赤外線より波長が長い電波を用いるため、少なくともビルの各階における通信を行う場合においては、このような通信上の制約も少ない。また、安価で消費電力が少ないという特徴を一般的に有する。また、ＺｉｇＢｅｅの端末を無線接続してネットワークを構成することができる。本実施の形態においては、基本的に伝送中継器４００の電波通信手段４５０は直接電波が到達する範囲の室内機２００との間で無線接続を行うことができるものとするが、ＺｉｇＢｅｅの端末（フル機能デバイス）によっては中継機能を有することもでき、例えば、直接電波が到達しない端末間で通信を行おうとする場合には、他の端末が信号の中継を行っていくことで通信することができる。【００５１】
ここで、本実施の形態では、電波通信手段４５０の指向性をもたせない（無指向性）で電波による信号の送受信を行うものとするが、場合によっては、指向性をもたせて行うようにしてもよい。また、ここではシステム内の全ての室内機２００を無線接続により通信できるようにしたが、例えば、電波の届かない部分には、例えば第２の伝送線５１０を設けて通信を行うようにし、有線と無線による通信を混在させて行うようにしてもよい。【００５２】
以上のように実施の形態４のシステムによれば、各室内機２００と伝送中継器４００との通信を無線通信により行うようにしたので、通信系統の伝送線の配線工事を行わない又は一部の省略等をすることができ、例えば、冷媒配管、電源系統の配線状況に関係なく、また、伝送線の太さをほぼ考慮することなく通信接続を行うことができる。また、室内機２００が追加されたような場合でも、通信における接続について柔軟に対応することができる。そして、例えば室内において、室内機２００と離れたところに、温度センサ等の室内機２００との間で通信等を行う各種機器を設置した場合に、それらの機器についても、ＺｉｇＢｅｅ等、通信の方式を同じにすることで、連携した通信を行うことができ、より高度な制御、管理を行うことができる。【００５３】
実施の形態５．
図９は本発明の実施の形態５に係る伝送中継器４００の構成を表す図である。実施の形態１における伝送中継器４００と本実施の形態の伝送中継器４００とは、第２伝送手段４２０の代わりに電波通信手段４５０を設け、さらに、アドレス設定処理部４３０Ｃを備えている点で伝送中継器４００と異なっている。アドレス設定処理部４３０Ｃは、無線通信接続された室内機２００に対してアドレス設定処理を行う。ここで、アドレス設定処理部４３０Ｃはアドレス設定のためのカウンタを有し、各室内機２００のアドレスを番号で設定するものとする。【００５４】
例えば空気調和システム内の室内機２００の管理を行うために各室内機２００にアドレスを設定する。従来、この設定は、室内機２００に設けられたアドレススイッチ等により作業者が手動で行っていた。本実施の形態では、例えば、各階（フロア）に設けられた伝送中継器４００が無線通信に基づいて設定を行う。ここでは、同じ階の室内機２００間については電波が届くようにしてグループを構成できるものとして説明する（直接電波が届かなければ中継アンテナ等を設けるものとする）。一方、壁等に電波が遮られる等により、異なる階の室内機２００間では電波が届かずグループを構成できないものとする。【００５５】
図１０は伝送中継器４００が各室内機２００に対して行うアドレス設定処理に係るフローチャートを表す図である。図１０に基づいて、本実施の形態における室内機２００のアドレス設定について説明する。システム構成については実施の形態４で説明した図９と同様である。また、伝送中継器４００の系統記憶部４４１には前述した冷媒系統のデータが記憶されているものとする。【００５６】
伝送中継器４００のアドレス設定処理部４３０Ｃは、カウンタ４３１を初期値にする（Ｓ４１）。ここではカウンタの初期値を０とするが、例えば、各伝送中継器４００に設定された通信系統のアドレスを初期値とする等、任意の値を初期値としてもよい。そして、アドレス設定処理部４３０Ｃは、アドレス設定を受けていない室内機２００に対するアドレス設定指令に関する信号を電波通信手段２９０に送信させる（Ｓ４２）。【００５７】
各室内機２００では、電波通信手段２９０がアドレス設定指令に関する信号を受信すると、制御処理手段２１０はアドレス設定されているかどうかを判断し（Ｓ５１）、設定されていなければ電波通信手段２９０を介して応答信号を送信する（Ｓ５２）。ここで、各室内機２００から一斉に設定応答の信号が送信されると、アドレス設定処理部４３０Ｃにおいて処理ができなくなるため、各室内機２００の信号送信に時間差が設けられるようにする。ここでは、例えば制御処理手段２１０に設けられた水晶発振器２１１を用いる。例えば、精度等の面から考えて、水晶発振器２１１の発振周波数には誤差があり、完全に一致する室内機２００はないものと考えられる。そこで、ここでは、例えば各室内機２００の制御処理手段２１０は、誤差に基づく時間差が十分生じるように、水晶発振器２１１の発振回数が例えば１万回になったと判断したら応答信号を送信するようにする。【００５８】
ある室内機２００から送信された応答信号を受信すると（Ｓ４３）、アドレス設定処理部４３０Ｃは、カウンタ４３１の値を１増やして新たな番号をアドレスデータとし、そのアドレスデータを含む信号を送信する（Ｓ４４）。そして、例えばそのアドレスデータを冷媒系統のデータと関連づけて記憶させる（Ｓ４５）。一方、室内機２００においても、アドレスデータを含む信号が送信されると（Ｓ５３）、制御処理手段７００がアドレスデータを記憶手段８００に記憶する（Ｓ５４）。【００５９】
冷媒系統記憶部４４１に記憶されている、無線接続された室内機２００の全てにアドレス設定を行ったかどうかを判断し（Ｓ４６）、行っていないと判断すれば、Ｓ１２に戻ってアドレス設定指令に関する信号を送信し、アドレス設定が行われていない室内機２００に対してアドレス設定処理を行う。以上の処理により、発信周波数が高い水晶発振器２１１を有する室内機２００から順にアドレス設定がなされる。【００６０】
ここでは、アドレスを番号で設定したが、これに限定するものではなく、グループ内（他のグループ間の室内機２００との間で通信を行う場合にはシステム内）の各室内機２００において、それぞれ固有にアドレスを設定できれば、文字、数字その他の記号を用いて設定してもよい。【００６１】
以上のように、実施の形態５のシステムによれば、各伝送中継器４００のアドレス設定処理部４３０Ｃが、無線によって通信接続されている各室内機２００のアドレス設定処理を行うようにしたので、室内機２００にアドレススイッチを設けなくてもアドレス設定処理を行うことができる。また、自動的に行うことができるので、作業者がアドレス設定処理を手動で行わなくてもよい。【００６２】
実施の形態６．
図１１は本発明の実施の形態６に係る空気調和システムの構成を表す図である。例えば、ビル等の空気調和システムにおいては、グループ構成された室内機２００毎又は室内機２００毎に１台、運転モード指示、室内温度の設定指示等の操作指示の信号を室内機２００に送信するためのリモートコントローラが設けられていることが多い。本実施の形態は、上述の実施の形態で説明した伝送中継器４００の機能をリモートコントローラ８００に備えたものである。【００６３】
図１２はリモートコントローラ８００の構成を表す図である。第１伝送部８１０は、上述した伝送中継器４００の第１伝送手段４１０と同様の役割を果たす。電波通信手段８２０も同様に、上述した電波通信手段４５０と同様の役割を果たす。【００６４】
制御処理手段８３０は、中継処理部８３０Ａ、データ処理部８３０Ｂ及びアドレス設定処理部８３０Ｃを有している。したがって、伝送中継器４００と同様に、上述した中継処理、モニタ処理（データ収集、記憶処理等）、アドレス設定処理を行うことができる。また、制御処理手段８３０は、操作指示入力手段８４０からの信号に基づく処理を行う操作処理部８３０Ｄ及び表示手段８５０に表示を行わせるための表示信号を生成する表示処理部８３０Ｅを有している。【００６５】
操作指示入力手段８４０は、例えば操作者から入力された設定温度指示、運転モード（冷房、暖房、送風等）等の指示に基づく信号を制御処理手段８３０に送信する。表示手段８５０は、制御処理手段８３０の表示処理部８３０Ｅの処理による表示信号に基づいて、例えば、設定温度、運転モード等の表示を行う。データ記憶手段８６０は、データ記憶手段４４０と同様に制御処理手段８３０が処理を行うために必要となるデータ、処理結果等のデータを記憶する。リモートコントローラ８００が行うモニタ処理、アドレス設定処理等については、上述の実施の形態で説明したことと同様の処理を行うため、説明を省略する。【００６６】
以上のように、上述の実施の形態１等で説明した伝送中継器４００の中継処理、データ収集処理をリモートコントローラ８００が行うようにしたので、伝送中継器４００とリモートコントローラ８００の２つの装置を設ける必要がなく、コスト低減を図ることができる。なお、図１０の空気調和システムでは伝送中継器４００の機能を備えたリモートコントローラ８００を用いてシステムを構成したが、これに限定するものではない。例えば、本実施の形態のリモートコントローラ８００と伝送中継器４００とを混在させたシステムとすることもできる。【００６７】
実施の形態８．
図１３は本発明の実施の形態８に係るワイヤレスリモートコントローラ９００（以下、ワイヤレスリモコン９００という）の構成を表す図である。図１３において、リモート演算処理手段９１０は、ワイヤレスリモコン９００の他の手段の制御を行い、入力された信号に基づくデータを処理する。表示手段９２０は、リモート演算処理手段９１０から送信される表示信号に基づく表示を行う。入力手段９３０は、例えば、数字、指示ボタン等を有し、操作者から指示、入力アドレスとなる番号等が入力されると、そのデータを含む信号をリモート演算処理手段９１０に送信する。電波通信手段９４０は、リモート演算処理手段９１０が処理したデータを含む信号を無線で送信し、また、無線送信された信号を受信してリモート演算処理手段９１０に送信する。ここでは各室内機２００の電波通信手段２９０との間で通信を行うことができるものとする。また、電波通信手段９４０は指向性を有するものとする。したがって、基本的には、ある室内機２００との間で１対１の通信を行うものである。また、リモコンデータ記憶手段９５０は、リモート演算処理手段９１０が処理を行うために必要となるデータを記憶する。【００６８】
上述した実施の形態５においては、伝送中継器４００のアドレス設定処理によりシステム内の各室内機２００のアドレスを設定することができる空気調和システムについて説明した。ここで、また、例えば、実施の形態５におけるアドレス設定は、水晶発振器２１１の発信周波数が高い順から設定されていくため、作業者（管理者）にはどのような設定がなされたかわからない場合がある。また、設定されたアドレスはビル（フロア）内における室内機２００の配置の面等からみて不規則となる可能性がある。そのため、例えば管理画面に表示させて管理者が確認する等の場合に、設定されたアドレスの番号等が不規則に並んでいると管理上、不便である。【００６９】
そこで、本実施の形態では、各室内機２００との間で、電波によるアドレスデータを含む信号の通信を行うことができるワイヤレスリモコン９００により、設定されたアドレスの確認及びアドレスの変更修正を行えるものとする。【００７０】
例えば、ワイヤレスリモコン９００の操作者は、電波通信手段９４０を、ある室内機２００に向け、入力手段９３０に設けられた確認指示ボタンを押下する。入力手段９３０を介して確認指示の旨の信号が送信されると、リモート演算処理手段９１０は、電波通信手段９４０に確認指示のデータを含む信号を送信させる。【００７１】
室内機２０２においては、電波通信手段２９０が受信した信号に基づいて、室内機制御手段２１０は、室内機記憶手段２３０からアドレスデータを読み込み、アドレスデータを含む信号を電波通信手段２９０に送信させる。【００７２】
電波通信手段９４０が受信した信号に基づいて、リモート演算処理手段９１０はアドレスデータを処理し、表示手段９２０に表示信号を送信し、その室内機２００のアドレスを表示手段９２０に表示させる。【００７３】
次に、ある室内機２００に設定されたアドレスの修正を行う場合について説明する。例えば、操作者は、入力手段９３０に設けられた数字ボタンを押下し、室内機２００に対して設定したいアドレスの番号を入力する。指示された番号のデータを含む信号がリモート演算処理手段９１０に送信され、例えば、処理手段９９は表示信号を送信してその番号を表示手段９２０に表示させる。そして、操作者は、ワイヤレスリモコン９００の電波通信手段９４０を、ある室内機２００に向け、入力手段９３０に設けられた修正指示ボタンを押下する。リモート演算処理手段９１０は、電波通信手段９４０に、指示された番号のデータとともに、修正指示のデータを含む信号を送信させる。【００７４】
室内機２０２においては、電波通信手段２９０が受信した信号に基づいて、室内機制御手段２１０は、指示された番号のデータを処理し、室内機記憶手段２３０にアドレスデータとして記憶させる。【００７５】
以上のように、実施の形態７によれば、ワイヤレスリモコン９００を用いて室内機２００のアドレスの確認及び修正を行えるようにしたので、例えば、各室内機２００に自動的にアドレス設定がなされた場合でも、その確認を行うことができ、また、場合によっては、アドレスを任意に変更することができるため便利である。特に無線通信に用いる電波を赤外線等ではなく、上述のＺｉｇＢｅｅで用いられているような周波数の電波での通信を行うようにすれば、例えば、天井埋め込み型の室内機２００等のように、見通しの範囲に無線の通信手段を設けることができなくても、ワイヤレスリモコン９００によりアドレスの確認及び修正を行うことができる。なお、ここではアドレスの確認及び修正を行うワイヤレスリモコン９００について説明したが、例えば、上述したリモートコントローラ８００のように、設定温度、運転モードの指示等の信号を室内機２００に送信できるようにしてもよい。【００７６】
実施の形態９．
上述の実施の形態においては、空気調和システムによる説明を行ったが、例えば冷凍システム、照明システム等にも適用することができる。
【図面の簡単な説明】
【００７７】
【図１】本発明の実施の形態１に係る空気調和システムの構成を表す図である。
【図２】室外機１００の構成例を表す図である。
【図３】室内機２００の構成例を表す図である。
【図４】伝送中継器４００の構成を表す図である。
【図５】冷媒系統の関係を表す図である。
【図６】データ処理部４３０Ｂを中心とするデータ処理の例を表す図である。
【図７】本発明の実施の形態３の空気調和システムの構成図を表す図である。
【図８】本発明の実施の形態４の空気調和システムの構成図を表す図である。
【図９】本発明の実施の形態５に係る伝送中継器４００の構成を表す図である。
【図１０】アドレス設定処理に係るフローチャートを表す図である。
【図１１】本発明の実施の形態６の空気調和システムの構成図を表す図である。
【図１２】実施の形態７に係るリモートコントローラ８００の構成を表す図である。
【図１３】実施の形態８に係るワイヤレスリモコン９００の構成を表す図である。
【符号の説明】
【００７８】
１００，１００ａ，１００ｂ  室外機、１１０  室外機制御手段、１２０  室外機通信手段、１３０  室外機記憶手段、１４０  圧縮機、１５０  室外機側熱交換器、１６０  室外機側ファン、１７０  四方切換弁、１８０  アキュムレータ、１９０  室外機側膨張弁、２００，２００ａ〜２００ｈ  室内機、２１０  室内機制御手段、２１１  水晶発振器、２２０  室内機通信手段、２３０  室内機記憶手段、２４０  操作入力手段、２５０  室内機側熱交換器、２６０  室内機側ファン、２７０  室内機側膨張弁、２８０  補助ヒータ、２９０，２９０ａ〜２９０ｈ  電波通信手段、３００  集中管理装置、４００，４００ａ，４００ｂ  伝送中継器、４１０  第１伝送手段、４２０  第２伝送手段、４３０  演算処理手段、４３０Ａ  中継処理部、４３０Ｂ  データ処理部、４３０Ｃ  アドレス設定部、４３１  カウンタ、４４０  データ記憶手段、４４１  系統記憶部、４５０，４５０ａ，４５０ｂ  電波通信手段、５００  第１の伝送線、５１０，５１０ａ，５１０ｂ  第２の伝送線、６００，６００ａ，６００ｂ  冷媒配管、７００，７１０ａ，７１０ｂ，７２０，７２０ａ，７２０ｂ  電源線、８００，８００ａ，８００ｂ  リモートコントローラ、８１０  第１伝送手段、８２０  電波通信手段、８３０  演算処理手段、８３０Ａ  中継処理部、８３０Ｂ  データ処理部、８３０Ｃ  アドレス設定部、８３０Ｄ  操作処理部、８３０Ｅ  表示処理部、８４０  操作指示入力手段、８５０  表示手段、８６０  データ記憶手段、９００  ワイヤレスリモートコントローラ、９１０  リモコン演算処理手段、９２０  表示手段、９３０  入力手段、９４０  電波通信手段、９５０  リモコンデータ記憶手段。
【図１】
2008035402.tif 000003
【図２】
2008035402.tif 000004
【図３】
2008035402.tif 000005
【図４】
2008035402.tif 000006
【図５】
2008035402.tif 000007
【図６】
2008035402.tif 000008
【図７】
2008035402.tif 000009
【図８】
2008035402.tif 000010
【図９】
2008035402.tif 000011
【図１０】
2008035402.tif 000012
【図１１】
2008035402.tif 000013
【図１２】
2008035402.tif 000014
【図１３】
2008035402.tif 000015
【国際調査報告】
2008035402.tif 000016
2008035402.tif 000017
2008035402.tif 000018
2008035402.tif 000019